(57)【特許請求の範囲】
【請求項１】
被写体を照射しつつ撮影する歯科用ハンドピースカメラの光源において、レンズの側近に配設した近接撮影用光源に加えて、レンズの近傍に複数のＬＥＤからなる遠隔撮影用光源を設けて成り、焦点調整時に電荷結合素子であるＣＣＤとレンズとの距離の変動に機械的に連動して接離するスイッチ切換手段によりＬＥＤの点灯数を増減して遠隔撮影用光源の光量を自動調整することを特徴とする歯科用ハンドピースカメラの光源。
【請求項２】
被写体を照射しつつ撮影する歯科用ハンドピースカメラの光源において、レンズの側近に配設した近接撮影用光源に加えて、レンズの近傍に複数のＬＥＤからなる遠隔撮影用光源を設けて成り、焦点調整時に電荷結合素子であるＣＣＤとレンズとの距離の変動に機械的に連動して作動する可変抵抗手段により複数のＬＥＤに供給する電流を増減して遠隔撮影用光源の光量を自動調整することを特徴とする歯科用ハンドピースカメラの光源。
【請求項３】
歯科用ハンドピースカメラの傾斜角度に連動して略垂直状態では近接撮影用光源及び遠隔撮影用光源が点灯し、略水平状態では近接撮影用光源のみが点灯する電源切換手段を設けたことを特徴とする請求項１又は２に記載の歯科用ハンドピースカメラの光源。
【請求項４】
前記電源切換手段が傾斜スイッチから成ることを特徴とする請求項３記載の歯科用ハンドピースカメラの光源。
【発明の詳細な説明】
【０００１】
【発明の属する技術分野】
本発明は、被写体を照射しつつ撮影する歯科用ハンドピースカメラに関する。
【０００２】
【従来の技術】
歯科用ハンドピースカメラの従来の例としては、実登３０８２５４９号公報に開示された考案が公知である。この考案は図１７に示されるように、レンズ５の周囲を囲むように複数のＬＥＤ６（発光ダイオード）から成る光源が配置されたものであり、この光源は近接した被写体を均一に照射しつつ効果的に撮影することができるように構成されている。
【０００３】
【発明が解決しようとする課題】
しかしながら、前記公報に記載された考案は光源が近接撮影用であるため、被写体を離れた位置から広範囲に撮影するには照度が不足するという問題がある。しかるに、このような問題を解決するために従来は、レンズ５の側近を囲むように複数の光源を配置し、この光源の数を増やすか、又はこの光源に外部から別の光源を加えるか、又は光ファイバーその他の強力な光源を組み合わせる等により照度を強化する方法が取られてきたが、いずれもカメラのヘッドが大きくなったり、別の光源を準備したり、その光源を着脱したりする手間や、使用する部品が高価なために費用が嵩む等の問題があった。
【０００４】
よって本発明は、前記従来の問題点に鑑みてなされたものであり、１つのハンドピースカメラにて近接又は遠隔撮影のいずれの場合でも効果的に被写体を適切な照度にて照射しつつ撮影することができ、しかも光源の消費電力が少なく、廉価に設備することができる歯科用ハンドピースカメラの提供を目的とする。
【０００５】
【課題を解決するための手段】
上記目的を達成するため、本発明の歯科用ハンドピースカメラに係る請求項１は、被写体を照射しつつ撮影する歯科用ハンドピースカメラの光源において、レンズの側近に配設した近接撮影用光源に加えて、レンズの近傍に複数のＬＥＤからなる遠隔撮影用光源を設けて成り、焦点調整時に電荷結合素子であるＣＣＤとレンズとの距離の変動に機械的に連動して接離するスイッチ切換手段によりＬＥＤの点灯数を増減して遠隔撮影用光源の光量を自動調整することを特徴とするものである。
【０００６】
請求項２の歯科用ハンドピースカメラの光源は、被写体を照射しつつ撮影する歯科用ハンドピースカメラの光源において、レンズの側近に配設した近接撮影用光源に加えて、レンズの近傍に複数のＬＥＤからなる遠隔撮影用光源を設けて成り、焦点調整時に電荷結合素子であるＣＣＤとレンズとの距離の変動に機械的に連動して作動する可変抵抗手段により複数のＬＥＤに供給する電流を増減して遠隔撮影用光源の光量を自動調整することを特徴とするものである。
【０００７】
請求項３は、歯科用ハンドピースカメラの傾斜角度に連動して略垂直状態では近接撮影用光源及び遠隔撮影用光源が点灯し、略水平状態では近接撮影用光源のみが点灯する電源切換手段を設けたことを特徴とする請求項１又は２に記載の歯科用ハンドピースカメラの光源である。
【０００８】
請求項４は、前記電源切換手段が傾斜スイッチから成ることを特徴とする請求項３記載の歯科用ハンドピースカメラの光源である。
【０００９】
請求項１によれば、近接撮影の場合は従来と同様にレンズ側近に設けられた近接撮影用光源にて被写体を効果的に照射する照度が得られ、遠隔撮影の場合は近接撮影用光源に加えて、焦点調整時にＣＣＤとレンズとの距離に連動して遠隔撮影用光源のＬＥＤの点灯数を増減することにより、光量が自動調整されるので光量を一々調整しなくても撮影に必要かつ適切な照度が得られる。
【００１０】
請求項２によれば、近接撮影の場合は従来と同様にレンズ側近に設けられた近接撮影用光源にて被写体を効果的に照射する照度が得られ、遠隔撮影の場合は近接撮影用光源に加えて、焦点調整時にＣＣＤとレンズとの距離に連動して遠隔撮影用光源の複数のＬＥＤに供給する電流を増減することにより、光量が自動調整されるので光量を一々調整しなくても撮影に必要かつ適切な照度が得られる。
【００１１】
請求項３及び４によれば、ハンドピースカメラ本体内に遠隔撮影用光源の電源切換手段として傾斜スイッチを設けたことにより遠隔撮影用光源の電源をハンドピースカメラ本体の傾斜角度に連動して自動的にＯＮ−ＯＦＦすることが可能となる。例えばカメラ本体を略水平にした場合は傾斜スイッチがＯＦＦになって遠隔撮影用光源は点灯しない。これにより近接撮影用光源のみを点灯して口腔内を撮影することが可能となる。またカメラ本体を略垂直にした場合は傾斜スイッチが自動的にＯＮになって遠隔撮影用光源が点灯し、口の外側から歯列弓等を撮影する遠隔撮影が可能となる。またこの場合は近接撮影用光源の点灯も可能であるので両光源にて照度を強化することができる。またカメラ本体が略水平に保持された状態では遠隔撮影用光源がスイッチＯＮにならないので電力の節減が可能になる。
【００１２】
【発明の実施の形態】
以下本発明の実施の形態を図面を用いて説明する。図１は本発明の実施の形態に係る歯科用ハンドピースカメラの正面図である。図１に示すように本発明を適用する歯科用ハンドピースカメラは、内部に光信号を電気信号に変換する図示しないＣＣＤ等が設けられ、保持部１の一端にケーブル４が電気的に連結され、他端に一段細くなってその先端に撮像用のレンズ５が設けられ、かつレンズ５の側近に口腔内の被写体を照射する複数の白色ＬＥＤ６から成る近接撮影用光源７が設けられた撮像部２が連設されている。そしてレンズ５から入る撮像光はＣＣＤにて電気信号に変換され、ケーブル４を経て図示しないモニターに映像が写し出される構成になっている。
【００１３】
本発明はこの構成の歯科用ハンドピースカメラの先端に設けられた近接撮影用光源７に加えてレンズ５に近いネック部に複数の白色ＬＥＤ６から成る遠隔撮影用光源８が設けられ、更にこの遠隔撮影用光源８の電源を、内蔵する傾斜スイッチ４１にてカメラ本体３の傾斜角度に連動して自動的に切り換ることができるように構成されたものである。
【００１４】
以下、本発明の歯科用ハンドピースカメラの詳細構成とその作用を実施の形態１から５にて説明する。
【００１５】
【実施の形態１】
図２は本発明の実施の形態１に係る遠隔撮影用光源の光量を自動的に調整する構成図である。本実施の形態における遠隔撮影用光源８の光量を調整する構成は、図２（ａ）に示すように被写体９の撮像光をレンズ５を介して受光するＣＣＤ１０の外周に導電体１２を固定し、一方、導電体１２の下方に抵抗１３を介して白色ＬＥＤ６が電気的に接続された複数の接点１４を配設したスイッチ切り換え手段を設け、焦点の調整時にＣＣＤ１０が導電体１２と共にレンズ１０に対向して移動することにより導電体１２の下面が複数の接点に接離し、白色ＬＥＤ６の点灯数が増減されるようになっている。なお導電体１２の一端には電源１１が電気的に接続されている。
【００１６】
また、前記例ではＣＣＤ１０をレンズ１０に対向して移動する構成について説明したが 、これに替えて図２（ｂ）に示すようにレンズ５に導電体１２を固定し、レンズ５を導電体１２と共にＣＣＤ１０に対向して移動する構成にしてもよい。なおその他の構成は前記例と同様である。
【００１７】
実施の形態１によれば、焦点調整時におけるＣＣＤ１０又はレンズ５の移動に連動して白色ＬＥＤ６の点灯数を増減するスイッチ切り換え手段により遠隔撮影用光源８の光量が自動調整され、撮影に必要かつ適切な照度が得られる。
【００１８】
【実施の形態２】
図３は本発明の実施の形態２に係る遠隔撮影用光源の光量を自動的に調整する構成を示す図である。本実施の形態における遠隔撮影用光源８の光量を調整する構成は、図３に示すように前記実施の形態１においてＣＣＤ１０の外周に固定された導電体１２の下面にラック１５を形成し、このラック１５に対して、接触子１６が固定されたピニオン１７を歯合させ、一方、ピニオン１７の下方に可変抵抗手段として複数の白色ＬＥＤ６が電気的に接続された円弧状の可変抵抗１８をピニオン１７と同心状に配設したもので、焦点調整時にＣＣＤ１０が導電体１２と共にレンズ５に対向して移動する時に導電体１２に歯合するピニオン１７が回転してピニオン１７に固定された接触子１６が可変抵抗１８に摺接しつつ連続的に位置が変化することにより抵抗値が変化して白色ＬＥＤ６に供給する電力が増減されるように構成されている。
【００１９】
また、前記例ではＣＣＤ１０をレンズ１０に対向して移動する構成について説明したが、これに替えて図３（ｂ）に示すようにレンズ５に導電体１２を固定し、レンズ５を導電体１２と共にＣＣＤ１０に対向して移動することにより、導電体１２のラック１５に噛合するピニオンを回転させ、抵抗を連続的に変化させる構成にしてもよい。なおその他の構成は前記例と同様である。
【００２０】
実施の形態２によれば、焦点調整時におけるＣＣＤ１０又はレンズ５の移動に連動して遠隔撮影用光源８の複数の白色ＬＥＤ６に供給する電流を増減する可変抵抗手段により遠隔撮影用光源８の光量が自動調整され、撮影に必要かつ適切な照度が得られる。
【００２１】
【実施の形態３】
図４から図７は本発明の実施の形態３に係り、図４は遠隔撮影用光源の光量を自動的に調整する概略構成図、図５は遠隔撮影用光源と距離センサーを示す図、図６は光量調整のブロック図、図７は光量調整のフローチャートである。本実施の形態における遠隔撮影用光源８の光量を調整する構成は、図５に示すように遠隔撮影用光源８の側近に距離検出手段である距離センサー１９が配置されており、この距離センサー１９は図４及び図６に示すように赤外線、音波、又はレーザーを用いて被写体９とレンズ５との距離を検知するものである。そしてこの距離センサー１９にて検知した距離の変動値に連動してコンパレータ２０により白色ＬＥＤ６の点灯数を増減するように構成されている。なお、白色ＬＥＤ６は抵抗１３を介して電源１１に電気的に接続されている。
【００２２】
距離検出による光量調整は、図６のブロック図に示すように距離センサー１９が発する赤外線２２が被写体９を照射してその反射光が受光されるまでの時差Δｔを検出し、このΔｔに対応して演算手段であるＣＰＵ２１にて白色ＬＥＤ６の点灯数を算出する。ＣＰＵ２１における計算は、時差Δｔに光速を乗じて赤外光２２の往復距離が算出され、この数値からＸ（一定の光量で十分な画質が得られる距離であって実験計測にて任意に定められる数値）を差し引いた数値がゼロより大又は小となる程度により白色ＬＥＤ６の点灯数が算出される。
【００２３】
例えば、遠隔撮影用光源８を構成する複数の白色ＬＥＤ６のうち何個のＬＥＤ６をＯＮ−ＯＦＦするかについては、図中に示された計算値が（１）の場合はゼロより大きいのでＬＥＤのＯＮの数を増して光量をアップし、（２）の場合は等しいのでＬＥＤの点灯数はそのままにし、（３）の場合はゼロより小さいのでＬＥＤのＯＦＦの数を増すことにより光量をダウンする指令が出力される。
【００２４】
次にこの構成の作用を図７のフローチャートにて説明すると、先ず２３にて撮影が開始され、２４の「Ａ入力」にて赤外線照射時刻が入力され、２５の「Ｂ入力」にて赤外線反射光検出時刻が入力される。次に２６にて前記Ａ及びＢの入力による時差Δｔが算出され、２７にてΔｔと光速を基に被写体９とレンズ５との距離が算出される。この算出値は、２８にて一定の光量で十分な画質が得られる距離とが比較され両者が等しい場合にはＬＥＤ６の点灯数がそのままとなり、Ｘ値の方が小さい場合は２９にて点灯数が増加され、Ｘ値が等しくも小さくもない場合は点灯数が減少して光量が自動調整される。
【００２５】
実施の形態３によれば、撮影に際して被写体９とレンズ５との距離がセンサー１９にて検知され、距離の変動に連動して遠隔撮影用光源８を構成するＬＥＤ６の点灯数がＣＰＵを介して増減され、遠隔撮影用光源８の光量の自動調整が可能となる。これにより撮影に必要かつ適切な照度が得られる。
【００２６】
【実施の形態４】
図８及び図９は本発明の実施の形態４に係り、図８は遠隔撮影用光源の光量を自動的に調整する概略構成図、図９は距離に連動して光量を調整するブロック図である。本実施の形態における遠隔撮影用光源８の光量を調整する構成は、前記実施の形態３における図５に示すように遠隔撮影用光源８の側近に距離検出手段である距離センサー１９が配置されており、図８に示すように距離センサー１９は赤外線２２、又は音波、レーザーを用いて被写体９とレンズ５との距離を検知するものである。そしてこの距離センサー１９にて検知した距離の変動値によりコンパレータ２０にて複数の白色ＬＥＤ６全体に供給する電流を増減するように構成されている。なお、白色ＬＥＤ６はトランジスタＴＲ１及び抵抗Ｒ１、ＴＲ２及びＲ２、ＴＲ３及びＲ３のそれぞれを介してＣＰＵ２１に電気的に接続されている。なお抵抗値はＲ１＜Ｒ２＜Ｒ３であり、それぞれの抵抗回路の電流値はＩ１＞Ｉ２＞Ｉ３である。
【００２７】
前記距離センサー１９により検出された距離変動値による光量調整は、図９のブロック図に示すように距離センサー１９が発する赤外線２２が被写体９を照射し反射光が受光されるまでの時差Δｔを検出され、このΔｔに対応して演算手段であるＣＰＵ２１にて複数の白色ＬＥＤ６に供給する電流値が算出される。ＣＰＵ２１における計算は、時差Δｔに光速を乗じて赤外光２２の往復距離が算出され、この数値からＸ（一定の光量で十分な画質が得られる距離であって実験計測にて任意に定められる数値）を差し引いた数値がゼロより大又は小となる程度により電流値が算出される。
【００２８】
例えば、遠隔撮影用光源８を構成する複数の白色ＬＥＤ６に供給する電流は、図中に示された計算値が（１）の場合はゼロより大きいのでＴＲ１の回路をＯＮにして小さい抵抗のＲ１により大きな電流Ｉ１を流して光量をアップし、（２）の場合は等しいので光量はそのままにし、（３）の場合はゼロより小さいのでＴＲ１とＴＲ２の回路をＯＦＦにしてＴＲ３の回路をＯＮにし、大きい抵抗のＲ３により小さい電流Ｉ３を流して光量をダウンする等の回路選択がなされる。
【００２９】
実施の形態４によれば、焦点調整時における被写体９とレンズ５との距離の変動に連動して遠隔撮影用光源８である複数の白色ＬＥＤ６に供給する電流を増減することにより遠隔撮影用光源８の光量が自動調整され、撮影に必要かつ適切な照度が得られる。
【００３０】
【実施の形態５】
図１０及び図１１は本発明の実施の形態５に係り、図１０は受光量に連動して光量を調整するブロック図、図１１は光量調整のフローチャートである。本実施の形態における遠隔撮影用光源８の光量を調整する構成は、図１０に示すようにＣＣＤ１０が受光の明るさを検知するセンサーの集合体３０であり、このセンサーの集合体３０が検知する明るさの程度によりＣＰＵ２１にて白色ＬＥＤ６の点灯数を算出するものである。
【００３１】
明るさの検知は、図１０においてレンズ５全面からの入光をＣＣＤ１０にて受光してこの受光量を検出する。例えばＣＣＤ１０の１，２，３にて示す位置での受光量、即ち明るさが柱状グラフ１，２、３にて示されているようにＣＣＤ１０の受光位置によってレベルが異なることを示しており、ＣＣＤ１０の全面にて連続的に検出するとその右側の図のような曲線になる。ここでは明るさの例として曲線Ａ，Ｂ，Ｃにて示しており、そのうちの中央に位置するＡは「しきい値」、即ち予め実験計測により最適な画質が得られる明るさのレベル値を表わし、上方のＢはしきい値より明るい場合、下方のＣは「しきい値」より暗い場合の曲線を表わしている。このようにしてＣＣＤ１０にて検知された明るさは演算手段であるＣＰＵ２１にてしきい値と比較され、例えば信号のレベルが低いＣでは画像が暗いので白色ＬＥＤ６の点灯数を増加して光量をアップし、信号のレベルが高いＢでは画像が明るいので点灯数を減じて光量をダウンする指令が出力され、遠隔撮影用光源８の光量が自動的に調整される構成になっている。
【００３２】
この構成の作用を図１１のフローチャートにて説明すると、先ず３１にて撮影を開始し、３２の「しきい値入力」にてしきい値を入力する。これにより３３の「明るさ比較」にてＣＣＤ１０にて検知された明るさがしきい値と比較され、明るさが丁度よい場合は遠隔撮影用光源８を構成するＤ６の点灯数が増減されずにそのままとなる。しきい値より暗い場合は３４の「光量アップ」にてＬＥＤの点灯数が増加する。しきい値より明るい場合は３５の「光量ダウン」にてＬＥＤの点灯数が減じられる。そしてこれらの操作は全て自動的に行なわれる。
【００３３】
なお、撮影に際してはＣＣＤの受光量を調節するためにシャッタースピードをコントロールする方法や、受光量が少なくてもゲイン（電子的増幅）を上げることにより画像を明るく見せる方法などが従来から用いられているが、いずれの方法も適当な撮像を得るためには被写体が暗ければシャッタースピードが遅くなったり、ゲインを上げたりして変化させる必要がある。これにより、本発明では予め最適な画像が得られる被写体照度とシャッタースピードやゲインとの関係を用意し、この関係をしきい値として被写体照度によって変化させるシャッタースピードやゲインの変化を検出し、しきい値と検出結果とを比較して被写体照度が足りているかどうかを判断することができるものである。
【００３４】
実施の形態５によれば、ＣＣＤ１０の受光量の変動に連動して白色ＬＥＤ６の点灯数を増減することにより遠隔撮影用光源８の光量を自動調整することが可能となる。これにより撮影に必要かつ適切な照度が得られる。
【００３５】
【実施の形態６】
図１２は本発明の実施の形態６に係る、受光量に連動して光量を調整するブロック図である。本実施の形態における遠隔撮影用光源８の光量を調整する構成は、図１２に示すようにＣＣＤ１０が受光の明るさを検知するセンサーの集合体３０であり、このセンサーの集合体３０が検知する明るさの程度によりＣＰＵ２１にて白色ＬＥＤ６全体に供給する電流値を算出するものである。
【００３６】
図１２においてレンズ５全面からの入光をＣＣＤ１０にて受光してこの受光量を検出する。例えばＣＣＤ１０の１，２，３にて示す位置での受光量、即ち明るさが柱状グラフ１，２、３にて示されているようにＣＣＤ１０の受光位置によってレベルが異なることを示しており、ＣＣＤ１０の全面にて連続的に検出するとその右側の図のような曲線になる。ここでは明るさの例として曲線Ａ，Ｂ，Ｃにて示しており、そのうちのＡは「しきい値」、即ち予め実験計測により最適な画質が得られる明るさのレベル値を表わし、Ｂはしきい値より明るい場合、Ｃは「しきい値」より暗い場合の曲線を表わしている。このようにしてＣＣＤ１０にて検知された明るさは演算手段であるＣＰＵ２１にてしきい値と比較され、しきい値より暗い場合は白色ＬＥＤ６全体に供給する電流を増加し、明るい場合は減少する指令が出力され、遠隔撮影用光源８の光量が自動的に調整される構成になっている。
【００３７】
例えば、遠隔撮影用光源８を構成する複数の白色ＬＥＤ６に供給する電流は、信号のレベルが低いＣでは画像が暗いのでトランジスタＴＲ１の回路をＯＮにしで小さい抵抗のＲ１により大きな電流Ｉ１を流して光量をアップし、また信号のレベルが高いＡでは画像が明るいのでＴＲ１とＴＲ２の回路をＯＦＦにしＴＲ３をＯＮにして大きい抵抗Ｒ３により小さい電流Ｉ３を流して光量をダウンする等の回路が選択される。
【００３８】
実施の形態６によれば、ＣＣＤ１０の受光量の変動に連動して白色ＬＥＤ６に供給する電流を増減することにより遠隔撮影用光源８の光量を自動調整することが可能となる。これにより撮影に必要かつ適切な照度が得られる。
【００３９】
【実施の形態７】
図１３から図１６は、本発明の実施の形態７に係り、図１３は傾斜スイッチを内蔵した歯科用ハンドピースカメラの概略構成図、図１４（ａ）は傾斜スイッチの説明図、１４（ｂ）はスイッチの接点部を示す部分拡大図、図１５及び図１６は撮影姿勢を示す図である。
【００４０】
本実施の形態では、本発明の歯科用ハンドピースカメラに、遠隔撮影用光源の電源切換手段としてカメラ本体の傾斜角度に連動して遠隔撮影用光源の電源を自動的に切り換える傾斜スイッチを内蔵させたものである。
【００４１】
なお本実施の形態では傾斜スイッチとして水銀傾斜スイッチを用いた例について説明する。水銀傾斜スイッチ４１は、図１４（ａ）に示すように、密閉容器４２内に突出した正負それぞれのリード線端部に１個づつ計２個の接点４３を設け、又は図１４（ｂ）に示すようにリード線それぞれの端部及び基端部近傍に１個づつ計４個の接点４３を設け、更に密閉容器４２内に容積の１／２弱の量の水銀４４を封入したものである。なお密閉容器４２内における接点を除いたリード線４７部分は絶縁されており傾斜時に水銀面の位置が変化しても接点以外では導通しないように構成されている。
【００４２】
この構成の水銀傾斜スイッチ４１は、図１３に示す略水平状態では軸中心に３６０°回転しても水銀４４は接点４３の一方にだけ接触するために電流は遮断され、遠隔撮影用光源８の白色ＬＥＤ６は点灯しない。また図１４（ａ）（ｂ）に示す略垂直状態（上下に転倒した場合を含む）では軸中心に３６０°回転しても水銀４４が両方の接点４３に同時に接触するので接点間が水銀４４を介して連結され、遠隔撮影用光源８の白色ＬＥＤ６に電力が供給されて点灯する。
【００４３】
なお遠隔撮影用光源８の白色ＬＥＤ６は抵抗１３を介して電源１１に電気的に接続されている。そしてこの抵抗１３は図２、図３、図４に示すいずれかの抵抗と同一構成である。また本実施の形態にて示された電源切換手段は水銀傾斜スイッチに限らず、例えば日本開閉器工業ＫＫ製の傾斜スイッチＤＳシリーズＡ又はＢタイプ、あるいはＫＫフジソク製の傾斜スイッチＹＫＳ−１１Ｂタイプ等を用いてもよい。
【００４４】
実施の形態７によれば、歯科用ハンドピースカメラに遠隔撮影用光源８の電源切換手段として傾斜スイッチ４１を設けたことにより、例えば図１５に示すカメラ本体３を水平にした使用例では傾斜スイッチが自動的にＯＦＦになり遠隔撮影用光源８の電源が自動的に遮断されて遠隔撮影用光源８は点灯しないのでレンズ５の側近に設けられた近接撮影用光源７のみを点灯して口腔内の撮影をすることが可能になる。また図１６に示すカメラ本体３を垂直にした使用例では、傾斜スイッチが自動的にＯＮになるので遠隔撮影用光源８の電源が連結されて遠隔撮影用光源８が点灯し、近接撮影用光源７と共に口４５の外側から歯列弓４６等を適切な照度にて照射しつつ遠隔撮影をすることが可能となる。
【００４５】
【発明の効果】
本発明によれば、従来から設けられている近接撮影用光源に加えてその側近に遠隔撮影用光源を設け、かつ遠隔撮影用光源の発する光量を自動調整可能に構成したことにより、光量を一々調節しなくても撮影に必要な適切な照射光量を得ることが可能となる。
【００４６】
これにより従来の方法では光量の不足分を強化するためにレンズ周辺に光源を増設すればカメラヘッド部が大きくなり、また補助光源を用いれば着脱する手間がかり、高価な補助光源または部品等を準備すれば費用が嵩む等の問題が解消され、しかもカメラ本体に遠隔撮影用光源の電源切換手段として傾斜スイッチを内蔵することによりカメラ本体を垂直方向に変位した時のみ遠隔撮影用光源が自動的に点灯し水平方向に変位した場合には遠隔撮影用光源が点灯しないので電力費が軽減され、一々スイッチ操作しなくても撮影に必要かつ適切な照度が得られる。
【図面の簡単な説明】
【図１】本発明の実施の形態に係る歯科用ハンドピースカメラの正面図である。
【図２】本発明の実施の形態１に係る遠隔撮影用光源の光量を自動調整する概略構成図である。
【図３】本発明の実施の形態２に係る遠隔撮影用光源の光量を自動調整する概略構成図である。
【図４】本発明の実施の形態３に係る遠隔撮影用光源の光量を自動調整する概略構成図である。
【図５】遠隔撮影用光源と距離センサーを示す正面図である。
【図６】距離検出による光量調整のブロック図である。
【図７】光量調整のフローチャートである。
【図８】本発明の実施の形態４に係る遠隔撮影用光源の光量を自動的に調整する概略構成図である。
【図９】距離に連動して光量を調整するブロック図である。
【図１０】本発明の実施の形態５に係る受光量に連動して光量を調整するブロック図である。
【図１１】光量調整のフローチャートである。
【図１２】本発明の実施の形態６に係る受光量に連動して光量を調整するブロック図である。
【図１３】本発明の実施の形態７に係る傾斜スイッチを内蔵した歯科用ハンドピースカメラの概略構成図である。
【図１４】（ａ）は傾斜スイッチの説明図、（ｂ）はスイッチの接点部を示す部分拡大図である。
【図１５】撮影姿勢を示す図である。
【図１６】撮影姿勢を示す図である。
【図１７】従来の歯科用ハンドピースカメラの説明図である。
【符号の説明】
１  保持部
２  撮像部
３  カメラ本体
４  ケーブル
５  レンズ
６  白色ＬＥＤ
７  近接撮影用光源
８  遠隔撮影用光源
９  被写体
１０  ＣＣＤ
１１  電源
１２  導電体
１３  抵抗
１４  接点
１５  ラック
１６  接触子
１７  ピニオン
１８  可変抵抗
２０  コンパレータ
２１  ＣＰＵ
２２  赤外線
４１  水銀傾斜スイッチ
４２  密封容器
４３  接点
４４  水銀
４５  口
４６  歯列弓
【図１】
0004267254.tif 000002
【図２】
0004267254.tif 000003
【図３】
0004267254.tif 000004
【図４】
0004267254.tif 000005
【図５】
0004267254.tif 000006
【図６】
0004267254.tif 000007
【図７】
0004267254.tif 000008
【図８】
0004267254.tif 000009
【図９】
0004267254.tif 000010
【図１０】
0004267254.tif 000011
【図１１】
0004267254.tif 000012
【図１２】
0004267254.tif 000013
【図１３】
0004267254.tif 000014
【図１４】
0004267254.tif 000015
【図１５】
0004267254.tif 000016
【図１６】
0004267254.tif 000017
【図１７】
0004267254.tif 000018